(57)【要約】【課題】利用者へのサービス性を向上することが可能であるとともに改札処理効率を向上することが可能な改札機を提供することを目的とする。【解決手段】  券媒体に記録された券情報に基づいて改札処理を行う改札機であって、投入口２から投入された券媒体を排出口３に向けて搬送する主搬送路１１と、主搬送路１１に沿って搬送された券媒体から券情報を読み取る読取ヘッド１４及び１５と、読取ヘッド１４及び１５により読み取られた券情報に基づいて投入口２から投入された券媒体の投入姿勢を判定し、この券媒体の投入姿勢に基づき、券媒体を所定の排出姿勢で排出口３から排出するよう券媒体の姿勢を調整する姿勢調整部４０と、を備えたことを特徴とする。【選択図】      図２
2005165823.tif 000002
【特許請求の範囲】
【請求項１】
券媒体に記録された券情報に基づいて改札処理を行う改札機であって、
投入口から投入された券媒体を所定の搬送路に沿って排出口に向けて搬送する搬送手段と、
前記搬送手段により搬送された券媒体から券情報を読み取る読取手段と、
前記読取手段により読み取られた券情報に基づいて、前記投入口から投入された券媒体の投入姿勢を判定する判定手段と、
前記判定手段により判定された券媒体の投入姿勢に基づき、券媒体を所定の排出姿勢で前記排出口から排出するよう券媒体の姿勢を調整する姿勢調整手段と、
を備えたことを特徴とする改札機。
【請求項２】
券媒体に記録された券情報に基づいて改札処理を行う改札機であって、
投入口から投入された券媒体を所定の搬送路に沿って排出口に向けて搬送する搬送手段と、
前記搬送手段により搬送された券媒体から券情報を読み取る読取手段と、
前記読取手段により読み取られた券情報に基づいて、前記投入口から投入された券媒体の投入姿勢を判定する判定手段と、
前記判定手段により券媒体がその裏面を上に向けてその一端部を先頭にして投入された投入姿勢であると判定されたのに基づき、券媒体をその表面を上に向けてその一端部を先頭にした排出姿勢で前記排出口から排出するよう券媒体の姿勢を調整する姿勢調整手段と、
を備えたことを特徴とする改札機。
【請求項３】
前記姿勢調整手段は、券媒体をその一端部を先頭にして搬送しながらその表裏を反転するひねり部を備えたことを特徴とする請求項２に記載の改札機。
【請求項４】
券媒体に記録された券情報に基づいて改札処理を行う改札機であって、
投入口から投入された券媒体を所定の搬送路に沿って排出口に向けて搬送する搬送手段と、
前記搬送手段により搬送された券媒体から券情報を読み取る読取手段と、
前記読取手段により読み取られた券情報に基づいて、前記投入口から投入された券媒体の投入姿勢を判定する判定手段と、
前記判定手段により券媒体がその表面を上に向けてその他端部を先頭にして投入された投入姿勢であると判定されたのに基づき、券媒体をその表面を上に向けてその一端部を先頭にした排出姿勢で前記排出口から排出するよう券媒体の姿勢を調整する姿勢調整手段と、
を備えたことを特徴とする改札機。
【請求項５】
前記姿勢調整手段は、券媒体をその他端部を先頭にして取り込んだ後にその一端部を先頭にして放出することでその表裏を反転するスイッチバック部と、券媒体をその一端部を先頭にして搬送しながらその表裏を反転するひねり部と、を備えたことを特徴とする請求項４に記載の改札機。
【請求項６】
前記スイッチバック部は第１搬送路上に設けられるとともに、前記ひねり部は前記第１搬送路から分岐した第２搬送路上に設けられたことを特徴とする請求項５に記載の改札機。
【請求項７】
券媒体に記録された券情報に基づいて改札処理を行う改札機であって、
投入口から投入された券媒体を所定の搬送路に沿って排出口に向けて搬送する搬送手段と、
前記搬送手段により搬送された券媒体から券情報を読み取る読取手段と、
前記読取手段により読み取られた券情報に基づいて、前記投入口から投入された券媒体の投入姿勢を判定する判定手段と、
前記判定手段により券媒体がその裏面を上に向けて投入された投入姿勢であると判定されたのに基づき、券媒体の表裏を反転する反転手段と、
前記反転手段により反転された券媒体のうち、その表面を上に向けてその他端部を先頭にした姿勢の券媒体を、その表面を上に向けてその一端部を先頭にした排出姿勢で前記排出口から排出するよう券媒体の姿勢を調整する姿勢調整手段と、
を備えたことを特徴とする改札機。
【請求項８】
前記姿勢調整手段は、券媒体をその他端部を先頭にして取り込んだ後にその一端部を先頭にして放出することでその表裏を反転するスイッチバック部と、券媒体をその一端部を先頭にして搬送しながらその表裏を反転するひねり部と、を備えたことを特徴とする請求項７に記載の改札機。
【請求項９】
前記スイッチバック部及び前記ひねり部は、同一搬送路上に設けられたことを特徴とする請求項８に記載の改札機。
【請求項１０】
さらに、サイズの異なる複数の券媒体をサイズ順に重ねて前記排出口から一括して排出する機構を備えたことを特徴とする請求項１乃至９のいずれか１項に記載の改札機。
【発明の詳細な説明】
【技術分野】
【０００１】
この発明は、改札機に係り、特に、所定の排出姿勢に統一して券媒体を排出可能な改札機に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの券媒体を取り込み、券媒体に記録された券情報に基づいて利用者の通行を許可するか否かの改札処理を行う。
【０００３】
このような改札機では、券媒体から券情報を読み取る読取ヘッドを介して投入口から投入された券媒体の投入姿勢を判定し、裏面を上に向けて投入された券媒体は反転部に導かれ、その表裏が反転される。そして、券媒体は表面を上に向けた排出姿勢で排出口から排出される（例えば、特許文献１参照。）。
【特許文献１】特開２０００−２２２６０７号公報
【発明の開示】
【発明が解決しようとする課題】
【０００４】
上述したような改札機では、その表面を上に向けてその他端部（後端部）を先頭にして投入された投入姿勢の券媒体、及び、その裏面を上に向けてその一端部（先端部）を先頭にして投入された投入姿勢の券媒体は、ともに、その表面を上に向けてその他端部を先頭にした排出姿勢で排出口から排出されることになる。
【０００５】
一方で、このような改札機では、その表面を上に向けてその一端部を先頭にして投入された投入姿勢の券媒体、及び、その裏面を上に向けてその他端部を先頭にして投入された投入姿勢の券媒体は、ともに、その表面を上に向けてその一端部を先頭にした排出姿勢で排出口から排出されることになる。
【０００６】
つまり、排出口から排出される券媒体の排出姿勢は、券媒体の投入姿勢に関わらず表面を上に向けた状態ではあるものの、券媒体の一端部を先頭にして排出される場合と他端部を先頭にして排出される場合とがあり、排出姿勢が一定しない。
【０００７】
このため、排出された券媒体を受け取った利用者にとって、券面の記載内容が判読しにくく、券媒体の取り違いが発生するおそれもある。したがって、利用者へのサービス性の低下、さらには、改札機での改札処理効率の低下を招くといった課題がある。
【０００８】
この発明は、上述した問題点に鑑みなされたものであって、その目的は、利用者へのサービス性を向上することが可能であるとともに改札処理効率を向上することが可能な改札機を提供することにある。
【課題を解決するための手段】
【０００９】
この発明の第１の様態による改札機は、
券媒体に記録された券情報に基づいて改札処理を行う改札機であって、
投入口から投入された券媒体を所定の搬送路に沿って排出口に向けて搬送する搬送手段と、
前記搬送手段により搬送された券媒体から券情報を読み取る読取手段と、
前記読取手段により読み取られた券情報に基づいて、前記投入口から投入された券媒体の投入姿勢を判定する判定手段と、
前記判定手段により判定された券媒体の投入姿勢に基づき、券媒体を所定の排出姿勢で前記排出口から排出するよう券媒体の姿勢を調整する姿勢調整手段と、
を備えたことを特徴とする。
【００１０】
この発明の第２の様態による改札機は、
券媒体に記録された券情報に基づいて改札処理を行う改札機であって、
投入口から投入された券媒体を所定の搬送路に沿って排出口に向けて搬送する搬送手段と、
前記搬送手段により搬送された券媒体から券情報を読み取る読取手段と、
前記読取手段により読み取られた券情報に基づいて、前記投入口から投入された券媒体の投入姿勢を判定する判定手段と、
前記判定手段により券媒体がその裏面を上に向けてその一端部を先頭にして投入された投入姿勢であると判定されたのに基づき、券媒体をその表面を上に向けてその一端部を先頭にした排出姿勢で前記排出口から排出するよう券媒体の姿勢を調整する姿勢調整手段と、
を備えたことを特徴とする。
【００１１】
この発明の第３の様態による改札機は、
券媒体に記録された券情報に基づいて改札処理を行う改札機であって、
投入口から投入された券媒体を所定の搬送路に沿って排出口に向けて搬送する搬送手段と、
前記搬送手段により搬送された券媒体から券情報を読み取る読取手段と、
前記読取手段により読み取られた券情報に基づいて、前記投入口から投入された券媒体の投入姿勢を判定する判定手段と、
前記判定手段により券媒体がその表面を上に向けてその他端部を先頭にして投入された投入姿勢であると判定されたのに基づき、券媒体をその表面を上に向けてその一端部を先頭にした排出姿勢で前記排出口から排出するよう券媒体の姿勢を調整する姿勢調整手段と、
を備えたことを特徴とする。
【００１２】
この発明の第４の様態による改札機は、
券媒体に記録された券情報に基づいて改札処理を行う改札機であって、
投入口から投入された券媒体を所定の搬送路に沿って排出口に向けて搬送する搬送手段と、
前記搬送手段により搬送された券媒体から券情報を読み取る読取手段と、
前記読取手段により読み取られた券情報に基づいて、前記投入口から投入された券媒体の投入姿勢を判定する判定手段と、
前記判定手段により券媒体がその裏面を上に向けて投入された投入姿勢であると判定されたのに基づき、券媒体の表裏を反転する反転手段と、
前記反転手段により反転された券媒体のうち、その表面を上に向けてその他端部を先頭にした姿勢の券媒体を、その表面を上に向けてその一端部を先頭にした排出姿勢で前記排出口から排出するよう券媒体の姿勢を調整する姿勢調整手段と、
を備えたことを特徴とする。
【発明の効果】
【００１３】
この発明によれば、利用者へのサービス性を向上することが可能であるとともに改札処理効率を向上することが可能な改札機を提供することができる。
【発明を実施するための最良の形態】
【００１４】
以下、この発明の一実施の形態に係る改札機について図面を参照して説明する。
【００１５】
図１に示すような改札機は、通常、２台１組として施設の改札口などに設置され、両者の間に利用者が通行可能な改札通路が形成される。入場業務や出場業務などの改札処理を行う改札機は、本体１を備えている。この本体１には、施設内への入場時あるいは施設内からの出場時に、券媒体（普通乗車券、定期乗車券、ＳＦカードなどの乗車券類のほか、施設内への入場券など）が投入される投入口２、この投入口２で受け取った券媒体を排出する排出口３がそれぞれ設けられている。投入口２の近傍には、券媒体の投入を阻止するためのシャッタ（図示しない）が設けられている。
【００１６】
本体１における投入口２の近傍及び排出口３の前方には、それぞれ利用者や係員などに対して案内などの各種情報を表示する表示部４ａ及び４ｂが設けられている。本体１の改札通路側に面した側面の両端部には、それぞれ利用者の通行を制御する（通行阻止するまたは通行許可する）開閉動作可能なドア５が設けられている。このドア５は、通行可否の判定結果に基づいて開閉制御される。
【００１７】
本体１の上部には、利用者の改札通路を規定するための枠体６が立設されている。枠体６及び本体１の各改札通路側の側面には、利用者の通過を検知する複数の人間検知器７がそれぞれ設けられている。また、枠体６上には、小児券の投入、無効券の投入や機器の異常などの装置の動作状態を表示する状態表示部８が設けられている。
【００１８】
図２に示すように、第１実施形態に係る改札機の内部機構において、投入口２と排出口３との間には、投入口２から投入された券媒体を矢印ａ方向に沿って排出口３に向けて搬送するための主搬送路１１が形成されている。この主搬送路１１は、券媒体を搬送する搬送手段として機能する各種搬送ベルト及び搬送ローラなどで規定されている。
【００１９】
主搬送路１１には、投入口２から排出口３に沿い、分離部１２、整列部１３、読取手段として機能する読取ヘッド１４及び１５、反転手段として機能する反転部１６、保留部１７、書込ヘッド１８、読取ヘッド１９、振分ゲート２２ａ、入鋏部２０、印刷部２１及び２７、姿勢調整手段として機能する姿勢調整部４０、振分ゲート２２ｂ、集積部２３などが順に設けられている。
【００２０】
また、主搬送路１１から分岐した分岐搬送路２５及び集札用搬送路２８が設けられ、さらに集札用搬送路２８から分岐した別集札用搬送路３２が設けられている。分岐搬送路２５上には、保留部１７が設けられている。集札用搬送路２８上には、集札保留部２９、振分ゲート３０が順に設けられ、さらに、その先に集札部３１が設けられている。別集札用搬送路３２の先には、別集札部３３が設けられている。
【００２１】
投入口２は、投入された複数の券媒体を一括して受け取ることが可能である。分離部１２は、投入口２に一括して複数枚重ねて投入された券媒体を一時的に保留するとともに、これらの券媒体を搬送方向ａに沿ってずらして１枚ずつ分離する。整列部１３は、分離部１２から送出されてきた１枚ずつの券媒体を整列して読取ヘッド１４及び１５へ送出する。
【００２２】
読取ヘッド１４及び１５は、券媒体の裏面の磁気記録層に記録されているエンコード磁気情報を読み取るものである。読取ヘッド１４は、券媒体の裏面を上に向けて搬送された場合に上向きの磁気記録層を読み取る。読取ヘッド１５は、券媒体の表面を上に向けて（券媒体の裏面を下に向けて）搬送された場合に下向きの磁気記録層を読み取る。なお、読取ヘッド１４及び１５にそれぞれ対向して、プラテンローラ１４ａ及び１５ａが設けられている。
【００２３】
反転部１６は、読取ヘッド１４及び１５を通過した券媒体がその裏面を上に向けた状態の場合、搬送路１６ａに券媒体をその搬送方向先頭側端部から取り込んだ後に、搬送路１６ｂを介してその搬送方向後方側端部から主搬送路１１へ放出することにより、券媒体の表裏を反転する。
【００２４】
つまり、読取ヘッド１４及び１５を通過した時点で表面を上に向けた状態の券媒体はそのまま反転部１６に導かれることなく通過し、裏面を上に向けた状態の券媒体は反転部１６に導かれて表裏反転される。したがって、書込ヘッド１８に向かう券媒体は、すべて表面を上に向けた状態（磁気記録層を下に向けた状態）で搬送されることになる。
【００２５】
保留部１７は、複数枚の券媒体が一括投入された場合に一時的に各券媒体を保留するものであり、主搬送路１１から振分ゲート２２ａを介して分岐搬送路２５に導かれた券媒体をそれぞれ一時的に保留するストッパ１７ａ及び１７ｂが設けられている。これらのストッパ１７ａ及び１７ｂによる保留を解除することにより、券媒体は、搬送路１６ｂを介して主搬送路１１に戻される。
【００２６】
書込ヘッド１８は、券媒体の磁気記録層に対してエンコード磁気情報を記録する。読取ヘッド１９は、ベリファイ用のヘッドであり、書込ヘッド１８で記録されたエンコード磁気情報を読み取る。なお、書込ヘッド１８及び読取ヘッド１９にそれぞれ対向して、プラテンローラ１８ａ及び１９ａが設けられている。
【００２７】
入鋏部２０は、主搬送路１１を搬送された券媒体に対して必要に応じて穿孔を形成する。印刷部２１は、主搬送路１１を搬送された券媒体に対して必要に応じてその表面に日付や改札場所名等の所定の情報を印刷する。印刷部２７は、主搬送路１１を搬送された券媒体に対して必要に応じてその裏面に日付や改札場所名等の所定の情報を印刷する。印刷部２１及び２７は、例えばサーマルヘッド及びインクリボンを用いた熱転写方式のプリンタにより構成されている。
【００２８】
姿勢調整部４０は、券媒体を所定の排出姿勢で排出口３から排出するよう券媒体の姿勢を調整する。この姿勢調整部４０は、スイッチバック部４１及びひねり部４２を備えている。
【００２９】
スイッチバック部４１は、主搬送路１１を搬送された券媒体をその搬送方向先頭側端部から搬送路４１ａに取り込んだ後、搬送路４１ａを介してその搬送方向後方側端部から主搬送路１１へ放出することにより、券媒体の表裏を反転する。
【００３０】
ひねり部４２は、主搬送路（第１搬送路）１１から分岐した搬送路（第２搬送路）４２ａによって規定されている。すなわち、この搬送路４２ａは、券媒体の進行方向に直交する平面内で１８０°回転している。これにより、ひねり部４２は、主搬送路１１を搬送された券媒体を振分ゲート４３を介して搬送路４２ａに取り込み、この搬送路４２ａに沿って一方向に搬送することにより、券媒体の表裏を反転する。
【００３１】
振分ゲート２２ｂは、主搬送路１１を搬送された券媒体のうち、集札部３１あるいは別集札部３３に回収する券媒体を集札用搬送路２８に導く。排出口３から排出する券媒体は、主搬送路１１をそのまま集積部２３に向けて搬送される。
【００３２】
集積部２３は、一括投入された券媒体をサイズに応じて重ねて揃える。この集積部２３には、保留用のストッパ２３ａが設けられ、このストッパ２３ａにより、券媒体がまとめられる。まとめられた複数の券媒体は、排出口３から一括して排出される。
【００３３】
集札保留部２９は、券媒体を保留するストッパ２９ａにより構成され、このストッパ２９ａによって、券媒体が集札部３１あるいは別集札部３３へ回収される手前で一時的に保留される。また、振分ゲート３０は、集札用搬送路２８によって搬送されてきた券媒体を集札部３１あるいは別集札部３３へ選択的に振り分ける。
【００３４】
投入口２の近傍には、投入口２への券媒体の投入を検知する検知器５１が設けられている。排出口３の近傍には、排出口３からの券媒体の抜き取りを検知する検知器５２が設けられている。また、各搬送路上には、図示しない複数の検知器が配置され、搬送される券媒体の位置、券媒体の有無などを検知する。これら搬送路上の所定位置において券媒体を検知する検知器は、光学センサによって構成され、例えば搬送路を介して互いに対向配置された一対の発光素子と受光素子とによって構成される。
【００３５】
図３に示すように、改札機は、装置全体の制御を司るＣＰＵ６０を備えている。また、このＣＰＵ６０は、券媒体に記録された券情報に基づいて改札処理を行う改札手段として機能する。また、このＣＰＵ６０は、投入口から投入された券媒体の投入姿勢を判定する判定手段として機能する。
【００３６】
このＣＰＵ６０には、ＲＯＭ６１、ＲＡＭ６２、運賃メモリ６３、読取回路６４、書込回路６５、読取回路６６、振分制御回路６７、印刷駆動回路７７、ストッパ制御回路８３などが接続されている。
【００３７】
ＲＯＭ６１は、ＣＰＵ６０の制御プログラムを記憶している。ＲＡＭ６２は、制御プログラムのバッファとして情報を記憶するとともに、券媒体から読み取った情報、改札機内で発生した各種エラー情報などを記憶する。運賃メモリ６３は、入場駅（から設置駅まで）に対応した運賃情報を記憶している。
【００３８】
読取回路６４は、読取ヘッド１４及び１５を制御する。書込回路６５は、書込ヘッド１８を制御す。読取回路６６、読取ヘッド１９を制御する。振分制御回路６７は、振分ゲート２２ａ、２２ｂ、３０、４３を制御する。印刷駆動回路７７は、印刷部２１及び２７の駆動を制御する。ストッパ制御回路８３は、ストッパ１７ａ、１７ｂ、２３ａ、２９ａを駆動するストッパ移動機構８２を制御する。
【００３９】
また、ＣＰＵ６０には、分離制御回路６９、検知回路６８、搬送制御回路７３、通過検知回路７４、ドア制御回路７６、表示制御回路７１、入鋏制御回路７８、シャッタ制御回路８１、音声出力回路８５、通信制御回路７９などが接続されている。
【００４０】
分離制御回路６９は、分離部１２における各部の駆動を制御する。検知回路６８は、検知器５１からの出力信号に基づいた投入口２での券媒体の投入状態や、検知器５２からの出力信号に基づいた排出口３での券媒体の抜き取り、各搬送路上の各位置に配置され券媒体を検知する各種検知器からの出力信号に基づいた券媒体の搬送状態などを検知する。
【００４１】
搬送制御回路７３は、券媒体を搬送する主搬送路１１、反転部１６及び姿勢調整部４０などの各搬送路、分岐搬送路２５、集札用搬送路２８、別集札用搬送路３２などを形成する搬送ベルトや搬送ローラを回転させる搬送用モータ７２の駆動を制御する。この搬送用モータ７２は、所定の搬送路に沿って券媒体を搬送する搬送手段として機能する。
【００４２】
通過検知回路７４は、人間検知器７からの出力信号に基づいて利用者の通過（移動位置）を検知する。ドア制御回路７６は、ドア５を駆動するドア開閉機構７５を制御する。表示制御回路７１は、表示部４ａ及び４ｂ、状態表示部８などの各種表示部の駆動を制御する。
【００４３】
入鋏制御回路７８は、入鋏部２０を制御する。シャッタ制御回路８１は、シャッタを駆動するシャッタ開閉機構８０を制御する。音声出力回路８５は、音声にて操作案内を行うスピーカ８４を駆動する。通信制御回路７９は、自動改札機を制御する係員監視装置８７あるいはホストコンピュータ等との間で情報通信を行う。
【００４４】
ところで、ＣＰＵ６０は、投入口２から投入された券媒体から読取ヘッド１４及び１５のいずれかを介して券媒体の磁気記録層から券情報を読み取り、この券情報に基づいて改札処理を行う。そして、ＣＰＵ６０は、改札処理の結果、券媒体を排出口３から排出する必要があると判断したのに基づき、券媒体から読み取った券情報に基づいて投入口２から投入された券媒体の投入姿勢を判定する。この券情報とは、磁気データ中に券媒体の先頭側（例えば図１１の（ｂ）に示した券媒体Ｔの辺Ｃ側）を示すデータなどを記録したものをいう。
【００４５】
すなわち、券媒体の投入姿勢には、次の４通りの姿勢がある。図４に示すように、券媒体Ｔは、ほぼ長方形などの矩形状であり、ここでは、長手方向の一端部ＴＤ１を先端部とし、長手方向の他端部ＴＤ２を後端部とする。また、券媒体Ｔは、２つの主平面を有し、ここでは、所定のマークＭが記載された面を表面ＴＳ１とし、その反対面を裏面ＴＳ２とする。
【００４６】
第１投入姿勢は、図５に示すように、券媒体Ｔの表面ＴＳ１を上に向けて（利用者がマークＭを視認できる向き）その一端部ＴＤ１を先頭にして投入口２から投入された状態とする。第２投入姿勢は、図６に示すように、券媒体Ｔの表面ＴＳ１を上に向けてその他端部ＴＤ２を先頭にして投入口２から投入された状態とする。
【００４７】
第３投入姿勢は、図７に示すように、券媒体Ｔの裏面ＴＳＳを上に向けて（利用者がマークＭを視認できない向き）その一端部ＴＤ１を先頭にして投入口２から投入された状態とする。第４投入姿勢は、図８に示すように、券媒体Ｔの裏面ＴＳ２を上に向けてその他端部ＴＤ２を先頭にして投入口２から投入された状態とする。
【００４８】
図５に示すように、ＣＰＵ６０は、券媒体Ｔから読み取った券情報に基づいて券媒体Ｔが第１投入姿勢で投入されたと判定したのに基づき、券媒体Ｔを反転部１６及び姿勢調整部４０に取り込むことなく主搬送路１１に沿って搬送させる。これにより、券媒体Ｔは、その表面ＴＳ１を上に向けてその一端部ＴＤ１を先頭にした所定の排出姿勢で排出口３から排出される。
【００４９】
図６に示すように、ＣＰＵ６０は、券媒体Ｔから読み取った券情報に基づいて券媒体Ｔが第２投入姿勢で投入されたと判定したのに基づき、まず、券媒体Ｔを姿勢調整部４０のスイッチバック部４１に導く。このとき、券媒体Ｔをその他端部ＴＤ２を先頭にして搬送路４１ａから取り込む。その後、券媒体Ｔをその一端部ＴＤ１を先頭にして主搬送路１１へ放出することにより券媒体Ｔの表裏を反転する。なお、ここでは、スイッチバック部４１を利用して券媒体Ｔの表裏を反転したが、同一のスイッチバック方式の反転部１６を利用して券媒体Ｔの表裏を反転しても良い。
【００５０】
つまり、スイッチバック部４１を通過した券媒体Ｔは、その裏面ＴＳ２を上に向けてその一端部ＴＤ１を先頭にした状態（第３投入姿勢と同一状態）で主搬送路１１を搬送される。
【００５１】
そして、ＣＰＵ６０は、振分制御回路６７を制御してスイッチバック部４１を通過した券媒体Ｔを姿勢調整部４０のひねり部４２に導く。このとき、券媒体Ｔをその一端部ＴＤ１を先頭にした状態で搬送することにより、券媒体Ｔの表裏を反転する。これにより、券媒体Ｔは、その表面ＴＳ１を上に向けてその一端部ＴＤ１を先頭にした所定の排出姿勢で排出口３から排出される。
【００５２】
図７に示すように、ＣＰＵ６０は、券媒体Ｔから読み取った券情報に基づいて券媒体Ｔが第３投入姿勢で投入されたと判定したのに基づき、振分制御回路６７を制御して主搬送路１１を搬送された券媒体Ｔを姿勢調整部４０のひねり部４２に導く。このとき、券媒体Ｔをその一端部ＴＤ１を先頭にした状態で搬送することにより、券媒体Ｔの表裏を反転する。これにより、券媒体Ｔは、その表面ＴＳ１を上に向けてその一端部ＴＤ１を先頭にした所定の排出姿勢で排出口３から排出される。
【００５３】
図８に示すように、ＣＰＵ６０は、券媒体Ｔから読み取った券情報に基づいて券媒体Ｔが第４投入姿勢で投入されたと判定したのに基づき、券媒体Ｔを姿勢調整部４０のスイッチバック部４１に導く。このとき、券媒体Ｔをその他端部ＴＤ２を先頭にして搬送路４１ａから取り込む。その後、券媒体Ｔをその一端部ＴＤ１を先頭にして主搬送路１１へ放出することにより券媒体Ｔの表裏を反転する。これにより、券媒体Ｔは、その表面ＴＳ１を上に向けてその一端部ＴＤ１を先頭にした所定の排出姿勢で排出口３から排出される。なお、ここでは、スイッチバック部４１を利用して券媒体Ｔの表裏を反転したが、同一のスイッチバック方式の反転部１６を利用して券媒体Ｔの表裏を反転しても良い。
【００５４】
上述したように、第１実施形態によれば、券媒体の投入姿勢にかかわらず、券媒体を一定の排出姿勢で排出することが可能となる。これにより、排出された券媒体を受け取った利用者は、図１１の（ａ）に示すような券媒体ＴのＡ部分を右手で持って受け取ることになり、この場合、券媒体ＴのＢ部分を上方に向けやすくなるため、券媒体表面の記載内容が判読しやすくなり、サービス性を向上することが可能となる。つまり、逆に一定の排出姿勢で排出しない場合、図１１の（ｂ）に示すように排出されることも生じ、この場合、利用者は、券媒体ＴのＣ部分を右手で持って受け取ることになり、この場合、券媒体ＴのＤ部分を上方に向けやすくなり、これでは、券媒体Ｔの記載内容を判読しにくいが、本発明ではこのようなことはなくなる。また、券媒体の記載内容が判読しやすくなったことで、他人の券媒体と取り違えることも抑制することができ、改札処理効率を向上することが可能となる。さらに、券媒体の表面における一端部側に、識別可能なマークや切欠などを設け、常にこれらが識別可能な姿勢で券媒体を排出することにより、利用者個人の券媒体の識別精度を向上することが期待できる。
【００５５】
次に、第２実施形態について説明する。なお、上述した第１実施形態（図２）と同一の構成については同一の参照符号を付して詳細な説明を省略する。  
図９に示した例では、反転部１６及び保留部１７を備えていない。このため、書込ヘッド１８より搬送方向上流側で券媒体の表裏を揃える、つまり、券媒体の表面を上に向けた状態（磁気記録層を下に向けた状態）に統一することができない。
【００５６】
このため、読取ヘッド１４及び１５の下流には、その表面を下に向けた（磁気記録層を上に向けた）券媒体に対して所定の磁気情報を書き込む書込ヘッド３８、及び、その表面を上に向けた（磁気記録層を下に向けた）券媒体に対して所定の磁気情報を書き込む書込ヘッド１８がそれぞれ設けられている。これらの書込ヘッド３８及び１８にそれぞれ対向して、プラテンローラ３８ａ及び１８ａが設けられている。
【００５７】
また、書込ヘッド３８及び１８の下流には、その表面を下に向けた（磁気記録層を上に向けた）券媒体に対して書き込まれた所定の磁気情報を読み取る読取ヘッド３９、及び、その表面を上に向けた（磁気記録層を下に向けた）券媒体に対して書き込まれた所定の磁気情報を読み取る読取ヘッド１９がそれぞれ設けられている。これらの読取ヘッド３９及び１９にそれぞれ対向して、プラテンローラ３９ａ及び１９ａが設けられている。
【００５８】
このような構成の改札機であっても、図２を参照して説明したような姿勢調整部４０を設けることにより、券媒体の投入姿勢にかかわらず、一定の排出姿勢で券媒体を排出することが可能である。
【００５９】
すなわち、第１投入姿勢の券媒体は、主搬送路１１を搬送されることで上述した所定の排出姿勢で排出可能である。また、第２投入姿勢の券媒体は、姿勢調整部４０のスイッチバック部４１に導かれた後に主搬送路１１から分岐したひねり部４２に導かれることで所定の排出姿勢で排出可能である。
【００６０】
同様に、第３投入姿勢の券媒体は、主搬送路１１から分岐した姿勢調整部４０のひねり部４２に導かれることで所定の排出姿勢で排出可能である。また、第４投入姿勢の券媒体は、姿勢調整部４０スイッチバック部４１に導かれることで所定の排出姿勢で排出可能である。
【００６１】
このような第２実施形態においても、上述した第１実施形態と同様に、排出された券媒体を受け取った利用者に対するサービス性を向上することが可能となるとともに、改札処理効率を向上することが可能となる。
【００６２】
次に、第３実施形態について説明する。なお、上述した第１実施形態（図２）と同一の構成については同一の参照符号を付して詳細な説明を省略する。  
図１０に示した例では、スイッチバック方式の反転部１６を備えている。このため、読取ヘッド１４及び１５を通過した券媒体の表裏を揃える、つまり、券媒体の表面を上に向けた状態（磁気記録層を下に向けた状態）に統一することができる。
【００６３】
すなわち、第３投入姿勢で投入された券媒体は、反転部１６に導かれることにより第２投入姿勢と同一状態となる。また、第４投入姿勢で投入された券媒体は、反転部１６に導かれることにより第１投入姿勢と同一状態となる。このため、反転部１６を介して表面を上に向けた状態に統一された券媒体は、第１投入姿勢または第２投入姿勢のいずれかと同一状態となる。
【００６４】
したがって、第２投入姿勢の券媒体のみ姿勢調整すればよいことになる。このため、姿勢調整部４０は、第２投入姿勢の券媒体を所定の排出姿勢で排出可能なように構成されている。すなわち、姿勢調整部４０は、主搬送路１１から分岐した搬送路４０ａ上に設けられ、この搬送路４０ａ上に、スイッチバック部４１及びひねり部４２を備えている。
【００６５】
第１投入姿勢の券媒体は、主搬送路１１を搬送されることで上述した所定の排出姿勢で排出可能である。また、第２投入姿勢の券媒体は、振分ゲート４３を介して主搬送路１１から搬送路４０ａに導かれ、姿勢調整部４０のスイッチバック部４１に導かれた後にひねり部４２に導かれることで所定の排出姿勢で排出可能である。
【００６６】
このような第３実施形態においても、図２を参照して説明したような姿勢調整部４０を設けることにより、券媒体の投入姿勢にかかわらず、一定の排出姿勢で券媒体を排出することが可能であり、上述した第１実施形態と同様に、排出された券媒体を受け取った利用者に対するサービス性を向上することが可能となるとともに、改札処理効率を向上することが可能となる。
【００６７】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００６８】
上述した実施の形態では、反転部１６は、スイッチバック機構によって構成したが、ひねり部４２と同様の機構によって構成しても良い。
【図面の簡単な説明】
【００６９】
【図１】図１は、この発明の一実施の形態に係る改札機の外観を概略的に示す斜視図である。
【図２】図２は、図１に示した改札機に適用可能な第１実施形態の内部構造を概略的に示す図である。
【図３】図３は、図１に示した改札機の制御系の構成を概略的に示すブロック図である。
【図４】図４は、図１に示した改札機による改札処理対象としての券媒体を説明するための図である。
【図５】図５は、第１投入姿勢で投入された券媒体の排出までの過程を説明するための図である。
【図６】図６は、第２投入姿勢で投入された券媒体の排出までの過程を説明するための図である。
【図７】図７は、第３投入姿勢で投入された券媒体の排出までの過程を説明するための図である。
【図８】図８は、第４投入姿勢で投入された券媒体の排出までの過程を説明するための図である。
【図９】図９は、図１に示した改札機に適用可能な第２実施形態の内部構造を概略的に示す図である。
【図１０】図１０は、図１に示した改札機に適用可能な第３実施形態の内部構造を概略的に示す図である。
【図１１】図１１の（ａ）及び（ｂ）は、排出口から排出された券媒体の排出姿勢を具体的に説明するための図である。
【符号の説明】
【００７０】
１…改札機本体、２…投入口、３…排出口、１１…主搬送路（搬送手段）、１４…読取ヘッド（読取手段）、１５…読取ヘッド（読取手段）、１６…反転部（反転手段）、４０…姿勢調整部（姿勢調整手段）、４１…スイッチバック部、４２…ひねり部、６０…ＣＰＵ（判定手段）
【図１】
2005165823.tif 000003
【図２】
2005165823.tif 000004
【図３】
2005165823.tif 000005
【図４】
2005165823.tif 000006
【図５】
2005165823.tif 000007
【図６】
2005165823.tif 000008
【図７】
2005165823.tif 000009
【図８】
2005165823.tif 000010
【図９】
2005165823.tif 000011
【図１０】
2005165823.tif 000012
【図１１】
2005165823.tif 000013